(57)【要約】粉末などの流体を１ドーズだけ格納した個別の貯蔵器（２１）を少なくとも１つと、装置が駆動されるたびに個別の貯蔵器（２１）を１つ開くように設けられた開放手段（４０）と、を有する流体ディスペンサ装置であって、貯蔵器が開かれた後に当該貯蔵器（２１）に格納されていた１ドーズ分の流体を収容するためのディスペンサチャンバ（７０）と、吸入エンドピース（１５）と、そして、前記ディスペンサチャンバ（７０）と協働する変形可能なエアチャンバ（６１）を有した吸入トリガシステムと、を有し、前記ディスペンサチャンバ（７０）は、休止位置と吸入位置との間で移動可能であり、そのため、前記吸入エンドピース（１５）を介して吸入が行われている間に、前記エアチャンバ（６１）は変形し、その結果、前記ディスペンサチャンバは前記休止位置から前記吸入位置に移動させられる、という装置。【選択図】図１
2008528156.tif 000002
【特許請求の範囲】
【請求項１】
粉末などの流体を１ドーズだけ格納した個別の貯蔵器（２１）を少なくとも１つと、装置が駆動されるたびに個別の貯蔵器（２１）を１つ開くように設けられた開放手段（４０）と、を有する流体ディスペンサ装置であって、
特徴となるのは、
貯蔵器が開かれた後に当該貯蔵器（２１）に格納されていた１ドーズ分の流体を収容するためのディスペンサチャンバ（７０）と、吸入エンドピース（１５）と、そして、前記ディスペンサチャンバ（７０）と協働する変形可能なエアチャンバ（６１）を有した吸入トリガシステムと、を有し、
前記ディスペンサチャンバ（７０）は、休止位置と吸入位置との間で移動可能であり、そのため、前記吸入エンドピース（１５）を介して吸入が行われている間に、前記エアチャンバ（６１）は変形し、その結果、前記ディスペンサチャンバは前記休止位置から前記吸入位置に移動させられる、という点である、
という前記装置。
【請求項２】
前記変形可能なエアチャンバ（６１）は、ベローズ（６２）などの変形可能な膜を有すること、
を特徴とする請求項１に記載の装置。
【請求項３】
前記変形可能な膜（６２）は、吸入流路において、前記吸入エンドピースと前記ディスペンサチャンバ（７０）とに接続されていること、
を特徴とする請求項２に記載の装置。
【請求項４】
前記変形可能なエアチャンバ（６１）は、中空スリーブ（６８）の中でスライド移動するピストン（６７）を有すること、
を特徴とする請求項１に記載の装置。
【請求項５】
前記ディスペンサチャンバ（７０）の中には、可動ビーズ（７５）が少なくとも１つ入っていること、
を特徴とする請求項１乃至４のいずれかに記載の装置。
【請求項６】
前記ディスペンサチャンバ（７０）は前記開放手段（４０）に接続されていること、
を特徴とする請求項１乃至５のいずれかに記載の装置。
【請求項７】
可動支持手段（５０）を有し、当該手段（５０）は、駆動のたびに、個別の貯蔵器（２１）の１つを前記開放手段（４０）に接する位置に移動させるように作られていること、
を特徴とする請求項１乃至６のいずれかに記載の装置。
【請求項８】
前記可動支持手段（５０）は、投与位置と非投与位置との間で移動可能であり、
前記可動支持手段（５０）は、スプリングまたはスプリングブレードといった弾性手段（５１）によって、投与位置の方向に押され、ブロック手段（１００）によって非投与位置に保持されること、
を特徴とする請求項７に記載の装置。
【請求項９】
前記ブロック手段（１００）はユーザの吸入動作によって解放されること、
を特徴とする請求項８に記載の装置。
【請求項１０】
前記ディスペンサチャンバ（７０）は、前記吸入位置において、前記ブロック手段（１００）と協働して前記可動支持手段（５０）を解放するように作られており、前記支持手段（５０）は、解放された後、前記開放手段（４０）に対して貯蔵器（２１）を押し当てること、
を特徴とする請求項９に記載の装置。
【請求項１１】
前記ブロック手段（１００）は、非駆動位置と駆動位置との間で移動可能な第１要素（１０１）と、ブロック位置と非ブロック位置との間で移動可能な第２要素（１０２）とを有し、前記第１要素（１０１）は前記可動支持手段（５０）に固定されており、前記第２要素（１０２）は、ユーザによる吸入動作中、非ブロック位置の方向に移動させられること、
を特徴とする請求項８乃至１０のいずれかに記載の装置。
【請求項１２】
前記可動支持手段（５０）はガイド用ホイール（３０）を支持していること、
を特徴とする請求項１乃至１１のいずれかに記載の装置。
【請求項１３】
貯蔵器（２１）は、複数の個別の貯蔵器（２１）を一列に配した形で有する細長いストリップ（２０）の形で作られていること、
を特徴とする請求項１乃至１２のいずれかに記載の装置。
【請求項１４】
前記開放手段（４０）は、穴あけおよび／またはカッター手段（４１）を有し、当該手段（４１）は、形成された開口（２５）がカットされた部分（２４）によってふさがれることのない様態で、貯蔵器（２１）の閉鎖壁（２３）をカットするように作られていること、
を特徴とする請求項１乃至１３のいずれかに記載の装置。
【請求項１５】
投与済みドーズ数または未投与で残っているドーズ数をユーザに示すためのドーズインジケータ（１２０）を有すること、
を特徴とする請求項１乃至１４のいずれかに記載の装置。
【発明の詳細な説明】
【技術分野】
【０００１】
本発明は流体ディスペンサ装置に関し、さらに具体的には乾燥粉末吸入器に関する。
【背景技術】
【０００２】
乾燥粉末吸入器は従来技術において公知である。様々な種類が存在する。第１の種類の吸入器は、複数ドーズ分の粉末を収容する貯蔵器を有していると共に定量手段を備え、当該手段によって、駆動のたびに貯蔵器から前記粉末を１ドーズ分取り出し、その１ドーズをユーザへの投与のために放出ダクトに運び込むことができる。別の種類の吸入器は、複数ドーズの粉末を予め１ドーズずつ個別に分けて収める形で貯蔵器にパックしておき、吸入器が駆動されるたびに貯蔵器のうち１つを開ける、という点を特徴とする。この形での実装では、各ドーズが放出されようとする時点で開封されるため、粉末の密封に関してはより効果的である。こうした個別の複数の貯蔵器を製造するための技術は、すでに様々なものが提案されており、細長いブリスタストリップや回転式円形ディスクに複数のブリスタを配置したものなどがある。また、個別の複数の貯蔵器（カプセルなど）を有し、それら貯蔵器は使用される直前に吸入器に装填される、という構成の吸入器も従来技術文書に記述されている。こうした装置の効果は、器具の内部に全てのドーズを格納しておく必要がなく、そのため前記器具を小型化できる、という点である。しかしながら、自明なこととして、こうした吸入器は、ユーザが使用のたびに事前にカプセルを吸入器に装填しなければならないため、使用がより難しくなる。上述したものも含めて、全ての既存の種類の吸入器には、それらの構造およびそれらの操作のタイプに関連して、効果と問題点とが見られる。すなわち、特定の吸入器では、各駆動におけるドーズの正確性および再現性の問題が存在する。加えて、投与の有効性（すなわち、ドーズのうちどの程度がユーザの肺の中に効果的に浸透して治療上の有益な効果を実現するか）についての問題も、いくつかの吸入器に関して存在する。そうした特定の問題を解決するための解決策としては、患者の吸入動作とドーズの放出とを同期させるというものがある。ただし、それでもやはり問題は生じうる。具体的には、通常吸入の前にドーズが放出ダクトに装填され、その後、吸入動作に同期して放出される、という種類の装置である。問題とはすなわち、ユーザが（マルチドーズ用の貯蔵器からでも、個別のドーズ貯蔵器からでも）ドーズを装填するタイミングとユーザが吸入動作を行うタイミングとの間に、ユーザが吸入器を落とす、振る、あるいは、望ましくない（または不適当な）やり方で操作した場合に、前記ドーズが器具の内部に撒き散らされてしまい、ユーザはドーズの全てまたは一部を失う危険を冒すことになる、ということである。その場合は、装置を次に使用する際の過剰投与の危険が大きなものとなりうる。ドーズの服用が完了していないと認識したユーザが、新規のドーズを器具に装填すると、この新規のドーズが吸入される際に、器具の中に残った前回ドーズの一部が新規のドーズと共に放出されることになる。これは過剰投与となる。治療を計画して行う場合、こうした過剰投与は非常な害をもたらすおそれがあり、全ての国の当局は、過剰投与の危険をできる限り抑制するために、従来に比べてより厳しい規制を課しつつある。個々の貯蔵器を開く操作に関しては、密封層の剥離や剥ぎ取りが提案されてきた。しかし、そうした操作では、特に開放手段を吸入動作によって駆動する必要がある場合に問題が生じる。加わる力の制御を、次の貯蔵器まで開けてしまう危険を冒すことなしに完全な開放を保証できる、という形で実現することが難しいのである。変形例として、密封層または壁に穴を開けることが提案されているが、そうした操作の場合の問題として、切られた壁の一部分に貯蔵器内のドーズの一部が引っ掛かってしまう危険があり、そうなると計量の正確さと再現性とが保証されない。
【発明の開示】
【発明が解決しようとする課題】
【０００３】
本発明の目的は、上述した問題の生じない流体ディスペンサ装置（特に乾燥粉末吸入器）を提供することである。
具体的には、本発明の目的は以下のような吸入器を提供することである。すなわち、製造および組立が簡単かつ安価なものであり、使用時の信頼性が高く、各駆動における計量の正確さと計量の再現性とを保証すると共に、治療対象領域（特に肺）へのドーズの相当部分の投与を可能にすることで治療効果に関して最適な成果を実現し、安全かつ効果的なやり方で過剰投与の危険を回避する、そして、可能な限り小型であると共に、全てのドーズに関して放出に至るまで密封と絶対的な保全性とを保証する、という吸入器である。
【課題を解決するための手段】
【０００４】
そこで、本発明は、粉末などの流体を１ドーズだけ格納した個別の貯蔵器を少なくとも１つと、装置が駆動されるたびに個別の貯蔵器を１つ開くように設けられた開放手段と、を有する流体ディスペンサ装置であって、貯蔵器が開かれた後に当該貯蔵器に格納されていた１ドーズ分の流体を収容するためのディスペンサチャンバと、吸入エンドピースと、そして、前記ディスペンサチャンバと協働する変形可能なエアチャンバを有した吸入トリガシステムと、を有し、前記ディスペンサチャンバは、休止位置と吸入位置との間で移動可能であり、そのため、前記吸入エンドピースを介して吸入が行われている間に、前記エアチャンバは変形し、その結果、前記ディスペンサチャンバは前記休止位置から前記吸入位置に移動させられる、という装置を提供する。
【発明の効果】
【０００５】
また、効果的な構成として、前記変形可能なエアチャンバは、ベローズなどの変形可能な膜を有する。
また、効果的な構成として、前記変形可能な膜は、吸入流路において、前記吸入エンドピースと前記ディスペンサチャンバとに接続されている。
また、変形例では、前記変形可能なエアチャンバは、中空スリーブの中でスライド移動するピストンを有すること、とする。
【０００６】
また、効果的な構成として、前記ディスペンサチャンバの中には、可動ビーズが少なくとも１つ入っている。
また、効果的な構成として、前記ディスペンサチャンバは前記開放手段に接続されている。
また、効果的な構成として、可動支持手段を有し、当該手段は、駆動のたびに、個別の貯蔵器の１つを前記開放手段に接する位置に移動させるように作られている。
【０００７】
また、効果的な構成として、前記可動支持手段は、投与位置と非投与位置との間で移動可能であり、前記可動支持手段は、スプリングまたはスプリングブレードといった弾性手段によって、投与位置の方向に押され、ブロック手段によって非投与位置に保持される。
また、効果的な構成として、前記ブロック手段はユーザの吸入動作によって解放される。
【０００８】
また、効果的な構成として、前記ディスペンサチャンバは、前記吸入位置において、前記ブロック手段と協働して前記可動支持手段を解放するように作られており、前記支持手段は、解放された後、前記開放手段に対して貯蔵器を押し当てる。
また、効果的な構成として、前記ブロック手段は、非駆動位置と駆動位置との間で移動可能な第１要素と、ブロック位置と非ブロック位置との間で移動可能な第２要素とを有し、前記第１要素は前記可動支持手段に固定されており、前記第２要素は、ユーザによる吸入動作中、非ブロック位置の方向に移動させられる。
【０００９】
また、効果的な構成として、前記可動支持手段はガイド用ホイールを支持している。
また、効果的な構成として、貯蔵器は、複数の個別の貯蔵器を一列に配した形で有する細長いストリップの形で作られている。
また、効果的な構成として、前記開放手段は、穴あけおよび／またはカッター手段を有し、当該手段は、形成された開口がカットされた部分によってふさがれることのない様態で、貯蔵器の閉鎖壁をカットするように作られている。
【００１０】
また、効果的な構成として、ディスペンサ装置は、投与済みドーズ数または未投与で残っているドーズ数をユーザに示すためのドーズインジケータを有する。
【発明を実施するための最良の形態】
【００１１】
本発明に関するこれらの特徴および効果、そして他の特徴および効果は、非限定的な例として示すいくつかの実施の形態およびその変形例に関する以下の詳細な説明を、添付の図面を参照しながら読むことで、より明らかになる。
図１乃至図８（ｂ）は乾燥粉末吸入器の第１の実施の形態を表す。吸入器は中央本体１０を有し、その上に２つの側面部分１１、１２がスライド移動可能な形で設置されている。これら部分１１、１２は装置が閉じられた状態ではキャップを形成しているが、分かれる形に移動することで装置が開く、という作りになっている。装置が開けば、後述する形で装置に圧力を加えることができる。図に示すように、本体１０は円形に近い形状とすることができるが、他の何らかの適当な形状にすることもできるであろう。本体１０はマウスピースまたは吸入器エンドピース１５を有し、装置駆動の間にユーザはここから吸入を行う。２つのキャップ形成側面部分１１、１２は、図に示すように、共通のピボット軸を基準にしたピボット運動によって開くことができる。ただし、装置を開くための開手段については、他のものを考えることもできる。別の形として、図２６、２７に示すように、本体１０に対して移動させることのできるキャップ要素１１を１つだけ設けることも可能である。
【００１２】
効果的な構成として、本体はウィンドウ１９を有し、このウィンドウを通して、投与済みドーズの数または未投与ドーズの数をユーザの目に見える形で表示することができる。効果的な構成として、ウィンドウ１９は、キャップ形成側面部分１１、１２のピボット軸の上または近くに設けることができる。本体１０の内部には、複数の個別の貯蔵器２１（別名、ブリスタ）を有したストリップ２０が設けられている。好ましい構成として、前記ストリップは細長ストリップ２０であって、ブリスタ２１はその上に、それ自体公知の方法で、連続した形で配置されている。ブリスタ２１は、図１、５（ｂ）、６（ｂ）、７（ｂ）、８（ｂ）、２６、２７の全体的な図には示していない。これは、見やすさを目的として、図が乱雑になるのを防ぐためである。ブリスタは図１３乃至１６、２１、２３において見られる。ブリスタストリップ２０は、効果的な構成として、１ドーズの粉末を収容するためのキャビティ２１が形成されたベース層またはベース壁２２と、前記ブリスタ２１の各々を密封した様態で覆う閉鎖層または閉鎖壁２３とによって構成されている。ブリスタストリップ２０は、本体１０の内部で巻き取ることができる。また、ストリップを進めるための推進手段３０が設けられている。この手段３０は、装置が駆動されるたびに、ブリスタストリップを順次展開して、ブリスタまたは貯蔵器２１を１つずつ投与位置に運んでくる。効果的な構成として、１つの貯蔵器２１が吸入によって空になると、ストリップのうち当該空の貯蔵器を含む部分３５は、前記本体１０内部の別の場所で巻き取られる、という作りになっている（巻き取りの様態については後で更に詳しく説明する）。
【００１３】
本吸入器の第１の側面として、貯蔵器開放手段４０は、本体１０に設けられている（または固着されている）。開放手段４０は、ブリスタの閉鎖層に穴を開けるか、これを切り開くための穴あけおよび／またはカッター手段４１を有する。また、装置には可動支持手段５０が設けられており、当該手段５０は、次の吸入の際に開けられることになる特定の貯蔵器を支持するように作られている。可動支持手段５０は、駆動時、中身を取り出そうとする貯蔵器を装置の前記穴あけおよび／またはカッター手段４１に接する位置に移動させる作りになっている。効果的な構成として、可動支持手段５０は、弾性要素５１（例えば、スプリングまたはそれに相当する何らかの弾性要素）から力を受け、前記弾性要素５１は、装置が開けられている間に事前圧力を与えられるのに適したものである。効果的な構成として、可動支持手段５０は、第１の位置（非投与位置）と第２の位置（投与位置、すなわち貯蔵器が開けられる位置）との間で移動可能である。効果的な構成として、第１の位置と第２の位置との間の移動はカーブに沿った形となる。図１乃至８に示す実施の形態をさらに具体的に参照する。可動支持要素５０が、前記本体１０に対してヒンジ留めされたロッド５０と一体化された形で作られている点に留意すべきである。上述のロッド５０にはガイド用ホイール３０が固定されており、当該ホイールはブリスタを受け止めてガイドする。ガイド用ホイール３０の回転によりブリスタストリップ２０は前進する。特定の角度位置において、特定の１つの貯蔵器２１が必ず開放手段４０（すなわち穴あけおよび／またはカッター手段４１）によって開けられる位置に入る。効果的な構成として、前記ガイド用ホイール３０の回転の際の位置決めを行う回転位置決め手段３００を設けることで、回転のたびに回転後の前記ガイド用ホイール３０の角度位置を正確に決定することができる。図３７、３８に示す効果的な変形例では、位置決め手段３００は突起または指３０１を有し、その端部は前記ガイド用ホイール３０の周囲に設けられたノッチ３８と弾性的に協働する、という形にすることができる。効果的な構成として、ノッチ３８はＶ字形のプロフィールを有し、そのプロフィールにより、前記の指３０１は自動的にノッチの中央位置方向にガイドされる。そのため、回転のたびに角度位置が正確に決まることが保証される。ガイド用ホイール３０には、好ましい構成として、ストリップを進めるための推進手段が形成されている。オプションとして、図２１に示すように補助ホイール３８を設けて、ブリスタストリップ２０のガイドおよび／または推進を補助させることも可能であろう。前記ロッド５０は、Ｖ字を形成する形で第２のロッド５５に接続することができる。その場合、Ｖ字の先端はロッドのピボット軸によって形成される。第２のロッドは、静止したものとしてもよいし、ピボット運動可能としてもよいが、弾性要素５１（スプリングなど）を支持できるものであり、弾性要素は作用要素５７とも協働する。図５（ａ）乃至８（ｂ）は装置の駆動サイクルを示す。図５（ａ）、５（ｂ）は、装置を閉状態、休止状態において示す図である。装置が開かれつつある間（図６（ａ）、６（ｂ））、２つのキャップ形成側面部分１１、１２は、本体１０上でピボット運動することで互いから離れる形に移動し、それによって装置が開く。そうすると、作用要素５７は第２のロッド５５に押し付けられ、それによって、スプリング５１を圧縮する（すなわち圧力を加える）。この状態では、ガイド用ホイール３０を支持しているロッド５０は、適切なブロック手段１００（全体的な図には示していないが、図９乃至１２には見られる）によって保持されるため、ピボット運動で移動することができない。ブロック手段１００がブロック解除されるのは、ユーザがマウスピース１５から吸入を行っている間（図７（ａ）、７（ｂ））である。それにより、前記ロッド５０（従って前記ガイド用ホイール３０）は開放手段４０に向かってピボット運動させられることとなり、その結果、貯蔵器２１は前記の穴あけおよび／またはカッター手段４１によって開かれる。ガイド用ホイール３０はピボット軸を中心にピボット運動するロッド５０に固定されているため、貯蔵器２１は、本実施の形態では、カーブに沿って移動させられる。貯蔵器を開ける際、このカーブによって特別な効果がもたらされるが、それについては後で更に詳しく説明する。
【００１４】
効果的な構成として、当接手段３５０が、各吸入動作の後、ガイド用ホイール３０の投与位置を正確に決定するために設けられている。当接手段はラグ３５０で成る形とすることができ、当該ラグは、図３５、３６に示すように、投与位置においてガイド用ホイール３０側の対応する１以上の平らな面と協働するように作られている。好ましい構成として、１つの平らな面は１つのリセスと組み合わされる。本実施の形態において、当接部３５０は、穴あけおよび／またはカッター手段が貯蔵器の中に進入する際のガイド用ホイール３０の回転位置を正しく決めるのに貢献する。従って、当接部３５０は、前記穴あけおよび／またはカッター手段が貯蔵器内に進入する深さを規定するだけでなく、前記手段が貯蔵器の中心に当たるようにしている。それによって、粉末の最適な形での放出と各駆動時に取り出されるドーズの再現性とが保証される。当接手段３５０は、前記回転位置決め手段３００と組み合わせることができ、その場合は、正確な様態でガイド用ホイールの各々の位置（非投与位置、投与位置、そして、ガイド用ホイール３０が前記２つの位置の間を移動している途中の位置）をあらかじめ定める、というものである。これにより、前記ガイドホイールの位置決めが悪かった場合に起こる装置のブロッキングの危険を排除することができる。
【００１５】
図に示す実施の形態では、穴あけおよび／またはカッター手段４１によって穴を開けるために貯蔵器２１を開位置の方向へ移動させている間、穴あけおよび／またはカッター手段４１は、本体に対して静止状態にあるのが好ましい。しかし、貯蔵器２１を開くステップの間、穴あけおよび／またはカッター手段４１も移動できる、という形を考えることも可能である。例えば、貯蔵器２１が穴あけおよび／またはカッター手段４１に向かって移動させられている際に、穴あけおよび／またはカッター手段４１を貯蔵器２１の方向へ移動させることは可能であろう。また、別の変形例では、駆動中、貯蔵器２１と穴あけおよび／またはカッター手段４１とを同じ方向に移動させ、しかも貯蔵器２１の方が前記方向により速く移動する、という形も考えられる。この場合も、貯蔵器２１は前記穴あけおよび／またはカッター手段４１と接触し、開かれることになる。
【００１６】
上で説明したように、開放手段はユーザの吸入動作によって駆動させることが望ましい。吸入動作によって貯蔵器開放手段を起動させるために、吸入トリガシステムが設けられており、本システムは、効果的な構成として、吸入の効果によって移動および／または変形させることの可能なユニット６０を有し、当該ユニット６０はブロック手段１００を解放するように作られている。効果的な構成として、ユニット６０は、前記可動支持手段５０のブロック手段１００と協働する変形可能なエアチャンバ６１を有する。ユーザの吸入動作によって前記変形可能なエアチャンバ６１は変形し、その結果、ブロック手段１００を解放して可動支持手段５０のブロックを解除することができる。すると、ガイド用ホイール３０と貯蔵器２１とを開放位置の方向へ動かすことができる。効果的な構成として、エアチャンバ６１は変形可能な膜（例えば、ベローズまたはポーチ６２）を有する形とすることができ、当該ベローズまたはポーチ６２は、第１にマウスピース１５に、第２に前記ブロック手段１００に直接的または間接的な形で接続することができる。従って、吸入時にベローズまたはポーチ６２は変形および収縮し、それによって前記ブロック手段１００を非ブロック位置に移動させる。変形例では、ベローズは何らかの変形可能な膜と置き換えることが可能であろう。
【００１７】
吸入器はディスペンサチャンバ７０を更に有し、当該チャンバ７０は、１つの貯蔵器２１が開かれた後、１ドーズの粉薬を収容する。効果的な構成として、ディスペンサチャンバ７０はビーズ７５を１つ以上備えており、当該ビーズは吸入動作中に前記チャンバ７０の中で動き回ることで、貯蔵器２１が開かれた後の空気と粉末との混合物の投与状態を向上させる。これにより装置の有効性が高まる。
【００１８】
特定の変形例では、変形可能なエアチャンバ６１はディスペンサチャンバ７０と協働する。また、ディスペンサチャンバ７０は、貯蔵器開放手段４０（特に穴あけおよび／またはカッター手段４１）に接続することができ、ディスペンサ開口部７９を有することができる。必須ではないが、ディスペンサチャンバ７０自体は休止位置と吸入位置との間で移動可能であり、ユーザがマウスピース１５から吸入を行う際には、変形可能なエアチャンバ６１が変形させられ、ディスペンサチャンバ７０はその休止位置から吸入位置まで移動させられることになる。吸入位置では、ディスペンサ開口部７９は、図７（ｂ）で示すように前記マウスピース１５の中に位置づけられることになり、その結果ドーズの良好な投与が保証される。従って、図２（ａ）、２（ｂ）、５（ｂ）乃至８（ｂ）、２６、２７に示す実施の形態では、ベローズ６２は、ユーザの吸入流路において、第１にマウスピース１５に、第２にディスペンサチャンバ７０に接続されている。図面に示すように、開放手段４０（特に、穴あけおよび／またはカッター手段４１）を前記ディスペンサチャンバ７０に（例えば、前記チャンバ７０に通じるチャネル６９の端部の位置で）直接に形成するのが効果的かもしれない。同様に、ディスペンサチャンバ７０は、その吸入位置において、可動支持手段５０を初期位置に保持していたブロック手段１００を解放する、という作りにすることができる。この開放により、可動支持手段５０が貯蔵器２１を開放位置の方向へ移動させることが可能になる。
【００１９】
吸入の後、図８（ａ）、８（ｂ）に示すように、ユーザは装置を閉じるが、そうすると、構成要素は全て初期の休止位置に戻る。すなわち、可動支持手段５０はピボット軸５６を中心にピボット運動して、貯蔵器開放手段４０から離れる形で初期（または最初の）位置に戻り、また、事前圧縮された状態のスプリングと協働していた作用要素５７は初期位置に戻され、初期位置ではスプリング５１は圧縮されていない状態となる。そうして、装置は次の利用サイクルに備える状態となる。
【００２０】
変形例では、他の吸入トリガ手段を用いることも可能であろう。例えば、ユーザによる吸入中に吸入によって発生する吸引効果を受けてピボット運動するピボット型弁フラップを用いる、というものであり、弁フラップのピボット運動に伴って、可動支持手段をブロックしているブロック手段が解放され、その結果、貯蔵器は開放位置の方向へ移動させられる。
【００２１】
図３はベローズ６２の変形例の実施の形態を示すが、ここでのベローズはマウスピース１５とディスペンサチャンバ７０との間に直接配置はされておらず、ディスペンサチャンバ７０の下の位置で主本体１０の中に収容されている。この変形例の実施の形態では、吸入時、ベローズは膨らむ形で変形し、それによってディスペンサチャンバを吸入位置の方向へ移動させる。一方、上で述べた実施の形態では、吸入時、ベローズは縮むことでディスペンサチャンバを吸入位置の方向に引っ張る。
【００２２】
図４は別の実施の形態を示し、ここでは、ベローズ（または膜）がピストン６７（または、それに類似のもの）に置き換えられている。当該ピストンは中空スリーブ６８の中でスライド移動してエアチャンバ６１を変形させる。ピストン６７は、薄いプレートの形で作ることができ、空気流に対する抵抗を制御するための穴（図示せず）を持たせることができる。図示した実施の形態では、ピストン６７はディスペンサチャンバ７０に固着されており、スリーブ６８はマウスピース１５に固着されている。しかし、その反対の形も考えられるであろう。
【００２３】
図３３、３４はさらに別の変形例の実施の形態を示し、ここではポーチ（または隔膜）６２がエアチャンバ６１を形成している。ポーチ６２はチャネル１５１を介してマウスピース１５に接続しており、当該チャネルは、効果的な構成として、ディスペンサチャンバ７０に接続された放出チャネル１５２を囲む形に配置されている。ポーチ６２は、ブロック手段１００に接続されたロッドに固定されており、吸入によってポーチ６２は変形し、従ってロッドも変形させられて、前記ブロック手段１００が移動させられることになる。図３９、４０は、ポーチ６２の変形例の実施の形態を示す。前記ポーチは、シリコーン製とするのが効果的であり、本体１０と（例えば本体１０とマウスピース１５との間の位置で）シール処理するように作られた縁部分６２０を持たせることができる。そして、このためには、縁部分６２０を拡張してフランジ６２５（同様にシリコーン製）とすし、当該フランジを本体１０のスナップ留め部分１００１によって圧縮することでシール処理を実現する。そして、特に吸入流におけるヘッドロス（head loss）を回避する。
【００２４】
図４１は、特定の実施の形態において、マウスピース１５を形成している部分の本体１０への固定方法の詳細を示す。マウスピース１５には、本体１０の傾斜突出部１０１０と協働するウィンドウ１５００を持たせることができる。また、本体１０の頂上部分１０１１には、マウスピース１５の肩１５０１が引っ掛かるため、傾斜突出部１０１０によってスナップ留めのシール処理が保証される。
【００２５】
図４２が示す変形例の実施の形態では、ガイド用ホイール３０を支持するピボットロッド５０が拡張部５０１を有し、当該拡張部は、吸入位置では、マウスピース１５に設けられた穴１５５０を実質的に閉じることになる。従って、吸入流は、ガイドホイール３０とそのロッド５０とが移動させられるのに先立って、部分的に穴１５５０を通過するが、大半は、前記要素が移動させられて穴１５５０が閉じられた後、従って、貯蔵器が開けられた後、前記の覆われた貯蔵器を空にする方へ向けられる。このことは、吸入の間の効果を向上させると共に、貯蔵器を確実に最適の様態で空にするのに役立つ。
【００２６】
本吸入器の別の効果的な側面として、個別の複数の貯蔵器（またはブリスタ）２１は細長いストリップ２０の上に形成されており、当該ストリップは装置の本体１０の内部にロールの形で格納されている。効果的な構成として、巻かれたブリスタストリップ２０は、前記本体１０の内壁によって保持されているが、「後方」（ブリスタストリップ２０の移動方向における後側）の端部は前記本体１０に対して固定されない。そのため、ブリスタストリップのロールを装置の中に組み入れることがより容易になる。ブリスタストリップ２０はユーザによって移動させられるが、ガイド用ホイール３０を用いるのも効果的であり、その場合、ホイール３０は効果的な構成として、ブリスタの形状に対応した形状を有した１以上（複数が好ましい）のリセス３１を備える。この構成であれば、ガイド用ホイール３０の回転時、ブリスタストリップ２０はホイールによって進められる。各駆動において、ブリスタ２１を移動させるのに、これ以外のドライブシステムは必要ない。当然のことながら、変形または追加の形で、ブリスタストリップを進めるために他の手段を用いることも可能である。例えば、ブリスタストリップの長手方向の側面エッジにプロフィールを設け、前記プロフィールが適切なドライブ手段と協働するように作られている、という構成である。さらに、ブリスタストリップの側面エッジに沿って穴を形成し、その穴と歯車とを協働させる形で用いてブリスタストリップを進ませる、という構成も可能であろう。
【００２７】
ブロック手段１００は、可動支持手段５０を初期位置に保持するためのものであり、さらに、ユーザによる吸入が行われるまで、貯蔵器２１がその開放位置の方向に移動しないようにするためのものである。ブロック手段１００は、ユーザによる吸入動作中、安全で、信頼性があり、しかも簡単な様態で解放できるものでなければならない。すなわち、余分な力を加える必要なしに、貯蔵器を開放手段の方向に速やかかつ確実に移動できなければならない。図９乃至１２に示す実施の形態では、ブロック手段１００は、一体に接続された２つの要素１０１、１０２を有する形とすることができる。適正な吸入閾値にまで達すると、第２要素１０２は矢印Ｂに沿って回転させられ、こうして第２要素１０２が回転することで第１要素１０１は開放されることになる。第１要素１０１は可動支持手段５０から矢印Ａに沿った力もまた受けており、また、装置が開けられている間に事前加圧されていた弾性要素５１の作用を受ける。第１要素１０１は、その２つの端部の間に位置するピボット点１０９を基準にピボット運動が可能な形で設置することができるであろう。一方の端部は可動支持手段５０からの矢印Ａに沿った方向の力を受け、他方の端部は第２要素１０２と協働している。本実施の形態では、図９、１０に示すように、吸入動作に伴って第２要素１０２が矢印Ｂに沿って回転した際、それに従って、第２要素１０２にブロックされていた第１要素１０１の端部は、力（矢印Ａ）と反対の方向（矢印Ｃ）に移動させられる。図１１、１２に示す変形例では、回転式のロッド（またはバー）１０２を用い、当該ロッドは、装置が事前圧力を加えられる際に前記ロッド１０２上に軸方向の力（矢印Ａ）を加えるペグ１０１と協働する、という形にすることも可能である。効果的な構成として、回転バー１０２の形状は、当該回転バー１０２が特定の角度だけ回転した時点で、力を受けた前記ロッド１０１が方向Ａ（事前圧力を受けた可動支持手段５０からロッドに加わる力の方向）に自由に移動できるようにするのに適したものとなっている。例えば、図１１に示すように、回転バー１０２は上側部分１０８よりも径の大きい下側部分１０７を有する。この形では、９０度回転した後に、２つの部分１０７、１０８の間に形成された肩１０６が軸ロッド１０１を押して、それを回転バー１０２の中央ピンに対して中心から外れた位置に置く。その結果、軸ロッド１０１は回転バー１０２に沿ってスライド移動し、図１１、１２における矢印Ａの方向で下向きに移動することができる。すると、可動支持手段５０を貯蔵器開放位置の方向に移動させることができる。もちろん、ブロックの実現と、ユーザによる吸入動作中の前記ブロックの解除とを行うための構成については、他の変形例の実施の形態を考えることも可能である。
【００２８】
本吸入器のさらに別の側面として、ドーズ用のカウンタ（またはインジケータ）手段１２０が設けられる。本手段は数字または記号１２５を有し、この数字または記号は、ブリスタストリップ２０に直接付加されており、装置の本体１０にある適当なウィンドウ１９を通して目に見える。変形例としては、数字または記号１２５を有した回転ディスク１２１を用いることが考えられる（例えば、ディスク上に渦巻状に数字または記号を付けたもの）。この場合、適当なウィンドウを備えたスライド可能な要素（図示せず）を、ディスク１２１上に設けられた渦巻状トラックに嵌めて、現在のドーズに関係する数字または記号１２５を表示させるようにすることができる。最後に、回転ホイール（例えば、１の位のホイールと１０の位のホイール）を有するインジケータを考えることも可能であろう。また、他の変形例も考えることができる。例えば、２枚の回転ディスクを重ねた形で用いるもの、または周縁部に数字を付けた１枚のディスク、などである。
【００２９】
ブリスタを１つでも開ければ、ブリスタストリップ３５の中に貯蔵器が空になった部分ができるが、これは装置内に簡単でコンパクトな形に格納するのに適したものとしなければならない。効果的な構成として、ブリスタストリップ３５は使用後、自動的に巻き取られて再びロールを形成する。効果的な構成として、使用済みブリスタストリップ３５の端部（ブリスタストリップ２０の「前面」側の端部）は、回転式のシャフト（または要素）１５０に固定することができる。そして、当該シャフト１５０は、ブリスタストリップの移動に伴う形で、１つのブリスタに対応する角度だけ回転する。これが、使用済みブリスタストリップ３５の巻き取りを促す。効果的な様態として、シャフト１５０は、ブリスタの使用済み部分３５を巻き取るに当たり、ブリスタストリップ２０に対しては引張り力やその他の駆動力を全く加えず、その端部に対して回転方向に導く力だけを加える形で働く。
【００３０】
本吸入器の別の効果的な側面として、使用済みブリスタ平延べ手段１６０を用い、ブリスタ２１に入っていたドーズが取り出された後に、当該ブリスタを平らにつぶすことができる。これにより、使用済みブリスタストリップ３５の格納空間を小さくすることができる。平延べ手段１６０は、２本のシリンダで成り、その間に使用済みブリスタストリップ３５を通す、という形で構成できるであろう。シリンダ１６０は滑らかなものとすることもできるが、周縁部の面に適当なプロフィール（例えば、図２５に示すような溝つきの形）が見られる形にもできるであろう。こうすれば、使用済み（または空の）ブリスタを平らにつぶすのに最小限の力しか必要としない一方で、効果を最大限とすることができる。
【００３１】
本吸入器のさらに別の側面として、貯蔵器２１を開くための開放手段４０は穴あけおよび／またはカッター手段４１を有する。効果的な構成として、穴あけおよび／またはカッター手段４１の形状については、ブリスタ２１のうち切られた壁部分２４がブリスタの内部に向かって折れ曲がり、穴あけおよび／またはカッター手段４１によって形成された開口部２５を覆うことがない、という結果になるようにしてある。図１３乃至１６は、ブリスタを開いてドーズを放出する動作のサイクルを示す。効果的な構成として、穴あけおよび／またはカッター手段４１は、対向する穴あけ端部４２、４３を少なくとも２つ、適当な距離４４だけ互いから隔てられた形で有している。穴あけおよび／またはカッター手段４１は、効果的な構成として、切られた壁部分２４の中央に折り目を作ることで、形成された開口部２５が切られた壁部分２４によって覆われることが全くない、という状態を可能にする。効果的な構成として、図１３乃至１７に示すように、穴あけ端部４２、４３の各々は皿形の形状をしており、部分的に切り抜かれて鋭いエッジを有する中空の円筒部分によって形成されている。効果的な構成として、図１５に示すように、入って来る空気（矢印Ｅ）は、前記穴あけおよび／またはカッター手段４１の外側を通って、開いたブリスタ２１の中に進入する。一例ではあるが、これは、可動支持手段５０を曲線に沿って貯蔵器開放位置の方向へ移動させることの結果として実現することができる。カーブに沿った移動の結果としてできる開口部２５は、穴あけおよび／またはカッター要素４１の寸法よりも少し大きくなる。このことにより、吸入空気が前記穴あけおよび／またはカッター要素４１の外側を通って流れ、ブリスタ２１の中に進入することが可能となる。必要であれば、前記穴あけおよび／またはカッター要素４１の外側に開口部を形成する特別な手段を設けることも可能であろう（例えば、前記穴あけおよび／またはカッター要素４１上のリブ４１０または他の何らかの適当な外側プロフィール（図２９乃至３２参照））。粉末を乗せて出て行く空気の流れ（矢印Ｓ）については、図１６に示すように、前記穴あけおよび／またはカッター手段４１内部の中空の空間を通る形で貯蔵器またはブリスタ２１から去る、という形が好ましい。また、必須ではないが、図１８に示すように、入って来る空気（矢印Ｆ）の流れと粉末を乗せて出て行く空気の流れ（矢印Ｓ）とが両方とも、穴あけおよび／またはカッター手段４１の内部に設けられた別個の中空チャネルを通る、という形にすることも可能であろう。図に示す穴あけおよび／またはカッター要素４１の特別な形状は、「ルーブル（louvre）」型のカットを作り出し、そうしたカットが、これまでに述べた効果の全てを実現する。とりわけ、穴あけによって作られた穴２５が穴あけ壁部分２４によって部分的にでも覆われる事態を回避する。これにより、ブリスタ２１を可能な限り完全に空にすることが可能となり、従って、ディスペンサの動作が最大限効果的なものとなることを保証する。加えて、計量の再現性も最大限となり、本発明の装置によって放出される粉末の量は毎回同じになる。
【００３２】
図２９、３０は、穴あけおよび／またはカッター要素４１の変形例の実施の形態を示す。ここでは、中央突端部４２０が要素の外側を複数のチャネル（この例では４本のチャネル）に分けている。外側エッジの上には外部スプライン４１０が設けられて側面開口部を作り、吸入流が貯蔵器の中に入ることを可能にしている。
図３１、３２が示すのは別の変形例の実施の形態であるが、これは図１３乃至１７における実施の形態に相当類似している。すなわち、間隔４４で隔てられた２つの穴あけ端部４２、４３を備え、その間隔にブリスタの切られた壁部分の少なくとも一部が収容される作りとなっている。本実施の形態では、開口部同士が向かい合っている図１７と異なり、開口部は背中合わせに配置されている。また、効果的な構成として、外部スプライン４１０は外側エッジ上に設けられている。
【００３３】
図２６に示すのは、吸入器の第２の実施の形態である。この第２の実施の形態が図１乃至８における第１の実施の形態と異なるのは、主に、装置の外側の形状であり、さらに、装置が開けられている間に当該装置に事前に力を加えることを可能にする弾性手段５１の形状の差異である。この第２の実施の形態では、本体１０はキャップ要素１１を１つだけ有し、当該要素１１が開けられることで装置に力が加えられる。装置を開く際、スプリングブレード５１は、開かれつつある前記キャップ要素１１によって変形させられることで力を提供する。その力は、上述の実施の形態ではスプリング５１によって提供されていたものである。ここでも、スプリングブレード５１は、可動支持手段５０を貯蔵器開放位置の方向に押しやり、その位置で、貯蔵器２１は移動させられて開放手段４０に接する状態になるが、適当なブロック手段１００（例えば、上で説明したブロック手段または他のブロック手段）が設けられており、ユーザが吸入動作を行うまで、この移動が生じないようにする。ユーザの吸入動作によって、前記ブロック手段１００のブロックが解除されると、開放手段４０によって貯蔵器２１が開かれ、その中に入っているドーズを自動的に投与することが可能となる。さらに、マウスピース１５から見て上流に設けられたディスペンサチャンバ７０によって、前記ドーズをユーザの肺の中に放出することが可能となる。可動支持手段５０は、変形可能なプラスチック素材で作られた部品の形で製造することができるが、当該部品は、スプリングブレード５１と、ガイド用ホイール３０と協働する押え要素５０と、本体１０と協働することでスプリングブレード５１に力を加えることを可能とする１つまたは２つの拡張部５２、５３とを含んでいる。図に示す実施の形態において、第１の拡張部５２は歯車２００と協働しているが、当該歯車２００は、戻り防止ラチェットと使用済みブリスタストリップ３５を巻き取る巻き取りシステムとを形成するのに適したものとする。第２の拡張部５３は、ディスペンサチャンバ７０と協働させることもできるが、何らかの形でブロック手段１００に接続することもできる。
【００３４】
図２７に示す別の実施の形態と図２６における実施の形態との主要な差異は、装置が開けられつつある際に装置に事前に力を加える弾性手段５１の形状の違いである。吸入器の本体１０の形状もわずかに変えられているが、図１乃至８における第１の実施の形態と比べれば差異はそれほど大きくない。キャップ１１が開けられつつある間に装置に事前に力を加えることを可能にする弾性手段５１が有する形状は、第２の実施の形態に示される形状とわずかに異なっているが、その機能は厳密に見て同一である。よって、機能に関してこれ以降更に詳しく説明することはない。この特定の実施の形態においては、可動支持手段５０は、装置が開けられている際に変形するスプリングブレード５１と一体の形で作られており、さらに、オプションとして弾性を有する第２の第品５４を、使用済みブリスタストリップ３５の巻き取り、および／または、ブロック手段１００のブロック解除のために設けることができる。留意すべき点として、ブロック手段１００は図２６、２７に示していないが、何らかの適切な形で駆動することができる。
【００３５】
図２８は吸入器のさらに別の効果的な実施の形態を示す外観図であり、本実施の形態は図１乃至８における実施の形態とかなり類似している。
これまでに説明した実施の形態の全てにおいて、ブリスタストリップは２つの端部のあるストリップによって作られている。しかし、変形例では、切れ目のないストリップを用いることも可能である。さらに、本発明の範囲を越えない形で、それ以外の変更を施すことも可能である。
【００３６】
以上に述べたように、本発明によれば、下記の機能を果たす乾燥粉末吸入器を提供することができる：
・粉末を複数に分けたドーズの単位で密封された複数の個別の貯蔵器に格納すること（例：巻いたストリップに６０ドーズを格納）；
・ユーザの吸入動作によって実行される穴あけによって粉末を解放すること（その際、ブリスタには、事前に力を加えられた解放システムに結合された吸入検知システムによって穴を開ける）；
・ブリスタと契合して、駆動のたびにブリスタストリップを移動させ、適切な開放手段によって開けられる位置にまで新しい貯蔵器を運んでくる、適切な形状を与えられた推進手段；そして、
・ブリスタストリップの動きに機械的に接続されたドーズインジケータ。
【００３７】
本発明の装置は、これまでに説明したように、他の機能も実現する。留意すべき点として、これら各種機能は、吸入器の各種実施の形態において全て同時に提供されるものとして示されてはいるが、各機能を別々に実装することも可能であろう。具体的には、ここでの吸入トリガ機構は、貯蔵器開放手段の種類や、ドーズインジケータの使用の有無や、個々の貯蔵器がお互いに対してどのような位置関係に置かれているか、などの点に関りなく使用することができるであろう。事前に力を加える手段および吸入トリガシステムは、何らかの別の方法で作ることも可能であろう。同じことは装置の他の構成要素にも当てはまる。
【００３８】
本発明の吸入器は、上記の機能の全てまたは一部を組み入れており、既存の装置の性能より優れた性能を実現する。具体的には、発明の吸入器は、各駆動において９０%以上の貯蔵器使い切り率（emptying factor）を達成する。使い切り率は、装置の駆動の際に開けられた貯蔵器から放出される流体のパーセンテージのことであり、９５%を超えるのが効果的である（望ましくは９７%超）。さらに言えば、この高い使い切り率は、能動型吸入器によって得られる性能と比べてもより高い。能動型吸入器は一般的に受動型吸入器よりも効果が高いはずであり、ブリスタを空にしてドーズを放出するのは吸入流ではなく、吸入の間に解放される圧縮空気流である。この高い使い切り率は、本発明の装置が最大限に効果的であることを保証する。吸入トリガによる開放との組み合わせで、この高い使い切り率は、流体（特に粉末）がユーザの肺の内部に最適な様態で投与されることを保証する。下記の表は、１．１７重量％のブデソニド／ラクトース混合物に関して、典型的な吸入流の流速に対応した形で様々に流速を変えながら計測した結果の値を示す。つまり、３つの計測値が、毎分約７.５リットル（Ｌ／ｍｉｎ）、１０Ｌ／ｍｉｎ、そして１５Ｌ／ｍｉｎという各流速において計測された。測定値の内容は、空気流によって中身が取り去られた後のブリスタに残った粉末の量を計った値であり、これをブリスタに入れられていた粉末の量と比較すれば、前記ブリスタの使い切り率が求められる。
計測値は本発明の装置の効率が非常に高いことを示し、本例での使い切り率は全体的には少なくとも９７%に等しい。
【００３９】
【表１】
2008528156.tif 000003
本発明はまた、連続した駆動における貯蔵器の使い切りの規則性も向上させる。すなわち、１０個の貯蔵器を含んだブリスタストリップを例に挙げれば、貯蔵器間での使い切り率の変化は１５%未満である。なお、この変化は１０%未満であれば効果的であり、望ましくは５%未満である。こうして向上した規則性により、本発明の装置に関しては、ドーズ再現性の向上や、それに伴う効率の向上が保証される。
【００４０】
当業者であれば、付随する特許請求の範囲によって定義される本発明の範囲を逸脱しない形で、様々な変更を考えることが可能であろう。
【図面の簡単な説明】
【００４１】
【図１】第１の実施の形態を構成するディスペンサ装置を示す概略断面図である。
【図２】（ａ）効果的な実施の形態を構成する吸入トリガシステムの詳細を示す図であり、吸入が行われていない状態の図である。（ｂ）効果的な実施の形態を構成する吸入トリガシステムの詳細を示す図であり、吸入を実行中の状態の図である。
【図３】吸入トリガシステムの別の実施の形態を示す概略図である。
【図４】吸入トリガシステムのさらに別の実施の形態を示す概略図である。
【図５】（ａ）図１の装置の利用順序を示す図であり、休止ステップにおける装置の外見を示す図である。（ｂ）図１の装置の利用順序を示す図であり、休止ステップにおける装置の内部を示す図である。
【図６】（ａ）図１の装置の利用順序を示す図であり、装置の圧縮または開放のステップにおける装置の外見を示す図である。（ｂ）図１の装置の利用順序を示す図であり、装置の圧縮または開放のステップにおける装置の内部を示す図である。
【図７】（ａ）図１の装置の利用順序を示す図であり、吸入ステップにおける装置の外見を示す図である。（ｂ）図１の装置の利用順序を示す図であり、吸入ステップにおける装置の内部を示す図である。
【図８】（ａ）図１の装置の利用順序を示す図であり、装置の使用終了または閉鎖のステップにおける装置の外見を示す図である。（ｂ）図１の装置の利用順序を示す図であり、装置の使用終了または閉鎖のステップにおける装置の内部を示す図である。
【図９】第１の変形例の実施の形態を構成するブロック手段を示す図である。
【図１０】第１の変形例の実施の形態を構成するブロック手段を示す図である。
【図１１】ブロック手段の別の変形例の実施の形態を示す図である。
【図１２】ブロック手段の別の変形例の実施の形態を示す図である。
【図１３】効果的な実施の形態を構成する開放手段を示す図であり、貯蔵器が開けられる前の状態を示す図である。
【図１４】効果的な実施の形態を構成する開放手段を示す図であり、貯蔵器が開けられた後の状態を示す図である。
【図１５】効果的な実施の形態を構成する開放手段を示す図であり、空気が貯蔵器の中に流れ込んでいる状態を示す図である。
【図１６】効果的な実施の形態を構成する開放手段を示す図であり、空気と粉末とが貯蔵器から外に流れ出している状態を示す図である。
【図１７】効果的な穴あけおよび／またはカッター手段を示す図である。
【図１８】穴あけおよび／またはカッター手段の変形例の実施の形態を示す図である。
【図１９】開放手段の変形例の実施の形態を示す図であり、貯蔵器がその開状態にある際の図である。
【図２０】開放手段の変形例の実施の形態を示す図である。
【図２１】可動支持手段の効果的な変形例を詳細に示す図である。
【図２２】使用されるストリップを収容するための収容手段を詳細に示す図である。
【図２３】ドーズインジケータ手段の変形例を詳細に示す図である。
【図２４】ドーズインジケータ手段の変形例を詳細に示す図である。
【図２５】空になった貯蔵器を平らにするための平延べ手段を詳細に示す図である。
【図２６】図１と同様の図であって、ディスペンサ装置の他の実施の形態を示す図である。
【図２７】図１と同様の図であって、ディスペンサ装置の他の実施の形態を示す図である。
【図２８】本発明のさらに別の実施の形態を示す概略斜視図である。
【図２９】穴あけやおよび／またはカッター手段の別の変形例の実施の形態を示す概略斜視図である。
【図３０】図２９の穴あけおよび／またはカッター手段の概略断面図である。
【図３１】図２９と類似の図であり、穴あけおよび／またはカッター手段のさらに別の変形例の実施の形態を示す図である。
【図３２】図３１の穴あけおよび／またはカッター手段の概略断面図である。
【図３３】吸入トリガシステムのさらに別の実施の形態を、その吸入前状態において示す、部分的かつ概略的な断面図である。
【図３４】図３３と類似の図であり、吸入後の状態を示す図である。
【図３５】可動支持手段をその非投与位置において示す概略断面図である。
【図３６】図３５と類似の図であり、投与位置において示す図である。
【図３７】可動支持手段と協働する回転位置決め手段を示す概略断面図である。
【図３８】可動支持手段と協働する回転位置決め手段を示す概略斜視図である。
【図３９】図３３および図３４における膜の変形例の実施の形態を示す概略断面図である。
【図４０】図３９の膜の詳細を示す図である。
【図４１】特定の実施の形態を構成する、マウスピースの本体への固定の様子を示す概略斜視図である。
【図４２】吸入フローを制御する制御装置の一例を吸入状態において示す概略断面図である。
【図１】
2008528156.tif 000004
【図２】
2008528156.tif 000005
【図３】
2008528156.tif 000006
【図４】
2008528156.tif 000007
【図５】
2008528156.tif 000008
【図６】
2008528156.tif 000009
【図７】
2008528156.tif 000010
【図８】
2008528156.tif 000011
【図９】
2008528156.tif 000012
【図１０】
2008528156.tif 000013
【図１１】
2008528156.tif 000014
【図１２】
2008528156.tif 000015
【図１３】
2008528156.tif 000016
【図１４】
2008528156.tif 000017
【図１５】
2008528156.tif 000018
【図１６】
2008528156.tif 000019
【図１７】
2008528156.tif 000020
【図１８】
2008528156.tif 000021
【図１９】
2008528156.tif 000022
【図２０】
2008528156.tif 000023
【図２１】
2008528156.tif 000024
【図２２】
2008528156.tif 000025
【図２３】
2008528156.tif 000026
【図２４】
2008528156.tif 000027
【図２５】
2008528156.tif 000028
【図２６】
2008528156.tif 000029
【図２７】
2008528156.tif 000030
【図２８】
2008528156.tif 000031
【図２９】
2008528156.tif 000032
【図３０】
2008528156.tif 000033
【図３１】
2008528156.tif 000034
【図３２】
2008528156.tif 000035
【図３３】
2008528156.tif 000036
【図３４】
2008528156.tif 000037
【図３５】
2008528156.tif 000038
【図３６】
2008528156.tif 000039
【図３７】
2008528156.tif 000040
【図３８】
2008528156.tif 000041
【図３９】
2008528156.tif 000042
【図４０】
2008528156.tif 000043
【図４１】
2008528156.tif 000044
【図４２】
2008528156.tif 000045
【国際調査報告】
2008528156.tif 000046
2008528156.tif 000047
2008528156.tif 000048
2008528156.tif 000049